(57)【要約】【課題】この発明はＴＣＰの端子部に粘着テープを簡単な構造で確実に貼着できる貼着装置を提供することにある。【解決手段】一方の面の一端部に端子部１５が設けられたＴＣＰ１３の他方の面を吸着して保持する吸着ヘッド１２と、吸着ヘッドに保持されたＴＣＰの一方の面の一端部に対向して上下方向に駆動可能に設けられ上昇方向に駆動されることで離型テープ２に貼着された粘着テープ１をＴＣＰの一方の面の端子部に加圧貼着する加圧面２１ａを有する加圧ツール２１と、凸部２７を加圧ツールに形成された取付け部２５に圧入して加圧ツールの加圧面に設けられ加圧ツールによって粘着テープをＴＣＰの一方の面の端子部に加圧貼着するときにクッション作用を呈するクッションパッド２８を具備する。【選択図】      図４
2013118263.tif 000002
【特許請求の範囲】
【請求項１】
電子部品の一方の面の一端部に設けられた端子部に、離型テープに貼着された粘着テープを加圧して貼着する粘着テープの貼着装置であって、
上記電子部品の他方の面を吸着して保持する保持手段と、
この保持手段に保持された上記電子部品の一方の面の一端部に対向して上下方向に駆動可能に設けられ上昇方向に駆動されることで上記離型テープに貼着された上記粘着テープを上記電子部品の一方の面の上記端子部に加圧貼着する加圧面を有する加圧ツールと、
凸部を有し、この凸部を上記加圧ツールに形成された取付け部に圧入して上記加圧ツールの上記加圧面に設けられ上記加圧ツールによって上記粘着テープを上記電子部品の一方の面の端子部に加圧貼着するときにクッション作用を呈するクッションパッドと
を具備したことを特徴とする粘着テープの貼着装置。
【請求項２】
上記クッションパッドには、上記凸部を上記取付け部に圧入することで上記クッションパッドの上記加圧面と反対側の面が変形するのを防止する吸収部が形成されていることを特徴とする請求項１記載の粘着テープの貼着装置。
【請求項３】
上記凸部は上記クッションパッドの上記加圧面側の面に設けられ、上記取付け部は上記加圧ツールの加圧面に開口形成されていることを特徴とする請求項１記載の粘着テープの貼着装置。
【請求項４】
上記凸部は上記クッションパッドの幅方向の両端部に上記加圧ツールの側辺に対向するよう設けられ、上記取付け部は上記加圧ツールの側面に開口形成されていることを特徴とする請求項１記載の粘着テープの貼着装置。
【請求項５】
上記加圧ツールの幅寸法は上記粘着テープの幅寸法の２倍以上であって、
上記クッションパッドは上記加圧ツールの幅寸法と同じ幅寸法に形成されていて、
上記クッションパッドは、幅方向の一端部或いは他端部のどちらかを選択して上記粘着テープを上記電子部品の一方の面の一端部に加圧貼着できるよう上記加圧ツールの加圧面に対して水平方向に１８０度回転させて取付けることができることを特徴とする請求項１記載の粘着テープの貼着装置。
【請求項６】
上記電子部品の一方の面の一端部に設けられた端子部を除く部分は回路パターンを保護する絶縁膜によって被覆されていて、
上記クッションパッドの上記電子部品の一端部から外れる端部には、上記粘着テープを上記電子部品の一方の面の一端部に上記加圧ツールを介して上記クッションパッドによって加圧貼着するときに上記絶縁膜が上記粘着テープを介して上記クッションパッドを押圧するのを防止する凹状の逃げ部が形成されていることを特徴とする請求項１記載の粘着テープの貼着装置。
【請求項７】
電子部品の一方の面の一端部に設けられた端子部に、離型テープに貼着された粘着テープを加圧して貼着する粘着テープの貼着方法であって、
上記電子部品の他方の面を吸着して保持する工程と、
他方の面が保持された上記電子部品の一方の面の一端部に対向して上下方向に駆動可能に設けられ加圧ツールを有し、この加圧ツールの加圧面に形成された取付け部にはクッションパッドに形成された凸部が圧入されていて、上記離型テープに貼着された上記粘着テープを上記電子部品の一方の面の端子部に上記クッションパッドを介して上記加圧ツールにより加圧貼着する工程と
を具備したことを特徴とする粘着テープの貼着方法。
【発明の詳細な説明】
【技術分野】
【０００１】
この発明はたとえば液晶表示装置に用いられるパネルなどに、電子部品としてのＴＣＰ（Tape Carrier Package）を実装する際、上記ＴＣＰの端子部に粘着テープを貼着する貼着装置及び貼着方法に関する。
【背景技術】
【０００２】
たとえば、液晶表示装置を製造する場合、基板としての上記パネルに、電子部品としての上記ＴＣＰを実装するということが行われる。上記ＴＣＰは金型によってキヤリアテープから打ち抜かれた後、所定角度ずつ間欠的に回転駆動されるインデックステーブルに供給される。このインデックステーブルには１回当たりの回転角度に応じた間隔で周方向に複数の吸着ヘッドが設けられている。そして、上記金型によって打ち抜かれたＴＣＰは複数の吸着ヘッドに順次供給される。
【０００３】
上記パネルはＸＹテーブルに供給載置されていて、このＸＹテーブルによってＸＹ方向に駆動されるようになっている。上記インデックステーブルの実装ポジションにおいて、上記ＴＣＰと上記パネルとが撮像カメラの撮像に基いて位置決めされる。
【０００４】
上記ＴＣＰに対して上記パネルが位置決めされると、ＴＣＰを保持した吸着ヘッドが下降方向に駆動され、上記ＴＣＰを上記パネルに異方性導電部材からなる粘着テープを介して加圧貼着する、つまり実装するようにしている。
【０００５】
ところで、最近ではパネルにＴＣＰを実装するための粘着テープをパネルに貼着せず、上記インデックステーブルの実装ポジション前の貼着ポジションでＴＣＰに貼着してパネルに実装することで、粘着テープの無駄をなくしたり、パネルに貼着した場合のように粘着テープに塵埃が付着して実装不良の発生を招くのを防止するということが行なわれている。
【０００６】
上記粘着テープは離型テープに貼着されていて、離型テープに貼着された状態でＴＣＰの幅寸法に対応する長さで切断される。上記離型テープは上記吸着ヘッドに保持されたＴＣＰの端子部が設けられた下面に粘着テープが貼着された面を対向させて走行されるようになっている。
【０００７】
そして、上記吸着ヘッドに保持されたＴＣＰが上記貼着ポジションに位置決めされると、加圧ツールによって上記離型テープとともに粘着テープを押し上げ、上記吸着ヘッドに保持されたＴＣＰの端子部に粘着テープを加圧貼着する。
【０００８】
その後、上記粘着テープの下面から離型テープを剥離し、上記ＴＣＰを上記粘着テープを介してパネルに形成された端子部に貼着することで、上記ＴＣＰがパネルに実装されることになる。
【０００９】
従来、上記ＴＣＰの端子部に上記加圧ツールによって粘着テープを加圧貼着する際、上記ＴＣＰの端子部に上記粘着テープを均一に加圧貼着できるようにするため、上記加圧ツールの加圧面と上記ＴＣＰとの間にフッ素樹脂などで形成されたクッションテープを介在させるようにしている。
【００１０】
上記クッションテープは供給リールから繰り出され、巻取りリールによって巻取られるようになっていて、中途部が上面に粘着テープが貼着された上記離型テープの下面側に対向して走行するようになっている。
【００１１】
そして、上記加圧ツールによって上記粘着テープが上記クッションテープ及び上記離型テープを介して上記ＴＣＰの端子部に加圧貼着される。その後、上記クッションテープは所定長さづつ上記巻取りリールに巻取られ、新たな部分が上記加圧ツールに対向するようになる。
【先行技術文献】
【特許文献】
【００１２】
【特許文献１】特開２００９−２３８７７５号公報
【発明の概要】
【発明が解決しようとする課題】
【００１３】
ところで、上記ＴＣＰの端子部に上記粘着テープを均一に加圧できるようにするため、上記クッションテープを上記加圧ツールの加圧面と上記ＴＣＰとの間に介在させるようにするには、上述したように供給リールから繰り出した上記クッションテープを、貼着位置に位置決めされたＴＣＰに対向させ、巻取りリールによって巻取ることで走行させなければならない。
【００１４】
そのため、クッションテープを用いるためには、供給リールや巻取りリールが必要となるから、貼着装置の構成を複雑化させたり、大型化させるということがある。しかも、上記クッションテープの走行を制御して所定長さずつ送るということをしなければならないから、そのことによっても貼着装置の構成を複雑化させるということになる。
【００１５】
この発明は、加圧ツールの加圧面にクッションパッドを、この加圧面から脱落するようなことなく設けることで、構成の複雑化や大型化を招くことなく、電子部品の端子の部分に貼着テープを均一に加圧貼着できるようにした粘着テープの貼着装置及び貼着方法を提供することにある。
【課題を解決するための手段】
【００１６】
この発明は、電子部品の一方の面の一端部に設けられた端子部に、離型テープに貼着された粘着テープを加圧して貼着する粘着テープの貼着装置であって、
上記電子部品の他方の面を吸着して保持する保持手段と、
この保持手段に保持された上記電子部品の一方の面の端子部に対向して上下方向に駆動可能に設けられ上昇方向に駆動されることで上記離型テープに貼着された上記粘着テープを上記電子部品の一方の面の一端部に加圧貼着する加圧面を有する加圧ツールと、
凸部を有し、この凸部を上記加圧ツールに形成された取付け部に圧入して上記加圧ツールの上記加圧面に設けられ上記加圧ツールによって上記粘着テープを上記電子部品の一方の面の端子部に加圧貼着するときにクッション作用を呈するクッションパッドと
を具備したことを特徴とする粘着テープの貼着装置にある。
【００１７】
上記クッションパッドには、上記凸部を上記取付け部に圧入することで上記クッションパッドの上記加圧面と反対側の面が変形するのを防止する吸収部が形成されていることが好ましい。
【００１８】
上記凸部は上記クッションパッドの上記加圧面側の面に設けられ、上記取付け部は上記加圧ツールの加圧面に開口形成されていることが好ましい。
【００１９】
上記凸部は上記クッションパッドの幅方向の両端部に上記加圧ツールの側辺に対向するよう設けられ、上記取付け部は上記加圧ツールの側面に開口形成されていることが好ましい。
【００２０】
上記加圧ツールの幅寸法は上記粘着テープの幅寸法の２倍以上であって、
上記クッションパッドは上記加圧ツールの幅寸法と同じ幅寸法に形成されていて、
上記クッションパッドは、幅方向の一端部或いは他端部のどちらかを選択して上記粘着テープを上記電子部品の一方の面の一端部に加圧貼着できるよう上記加圧ツールの加圧面に対して水平方向に１８０度回転させて取付けることができることが好ましい。
【００２１】
上記電子部品の一方の面の一端部に設けられた端子部を除く部分は回路パターンを保護する絶縁膜によって被覆されていて、
上記クッションパッドの上記電子部品の一端部から外れる端部には、上記粘着テープを上記電子部品の一方の面の一端部に上記加圧ツールを介して上記クッションパッドによって加圧貼着するときに上記絶縁膜が上記粘着テープを介して上記クッションパッドを押圧するのを防止する凹状の逃げ部が形成されていることが好ましい。
【００２２】
この発明は、電子部品の一方の面の端子部に設けられた端子部に、離型テープに貼着された粘着テープを加圧して貼着する粘着テープの貼着方法であって、
上記電子部品の他方の面を吸着して保持する工程と、
他方の面が保持された上記電子部品の一方の面の一端部に対向して上下方向に駆動可能に設けられ加圧ツールを有し、この加圧ツールの加圧面に形成された取付け部にクッションパッドに形成された凸部を圧入し、上記離型テープに貼着された上記粘着テープを上記電子部品の一方の面の一端部に上記クッションパッドを介して上記加圧ツールにより加圧貼着する工程と
を具備したことを特徴とする粘着テープの貼着方法にある。
【発明の効果】
【００２３】
この発明によれば、加圧ツールの加圧面にクッションパッドを設けるようにしたため、供給リールや巻取りリールが不要となり、構成の簡略化や小型化を図ることができ、さらにクッションパッドに凸部を設け、この凸部を加圧ツールに形成された取付け部に圧入するようにしたため、クッションパッドが加圧ツールの加圧面から脱落したり、ずれ動くのを防止することができる。
【図面の簡単な説明】
【００２４】
【図１】この発明の第１の実施の形態を示す貼着装置の概略的構成図。
【図２】電子部品としてのＴＣＰの平面図。
【図３】図２に示すＴＣＰの断面図。
【図４】貼着ポジションにＴＣＰが位置決めされた状態の側面図。
【図５】貼着ポジションに位置決めされたＴＣＰに加圧ツールによって粘着テープを加圧貼着する状態の側面図。
【図６】この発明の第２の実施の形態を示す加圧ツールの側面図。
【図７】この発明の第３の実施の形態を示す加圧ツールの側面図。
【発明を実施するための形態】
【００２５】
以下、この発明の実施の形態を図面を参照しながら説明する。
【００２６】
図１乃至図５はこの発明の第１の実施の形態を示す。図１は貼着装置を示し、この貼着装置は粘着テープ１が一側面に貼着された離型テープ２が巻装された供給リール３を有する。この供給リール３からは粘着テープ１が貼着された面を上に向けて上記離型テープ２が繰り出され、第１のガイドローラ４と第２のガイドローラ５にガイドされて水平に走行して巻き取りリール６に巻き取られるようになっている。上記供給リール３と巻き取りリール６とでテープ搬送手段を構成している。
【００２７】
供給リール３から繰り出された離型テープ２に貼着された粘着テープ１は、図示しない切断機構によって所定長さに分断されるとともに、所定長さに分断された分断部分１ａの隣り合う端部間に隙間１ｂができるよう、その端部間の部分が除去（中抜き）される。
【００２８】
上記離型テープ２が一対のガイドローラ４，５によって水平に走行する部分の上方には図示しないインデックステーブルが配置され、このインデックステーブルには周方向に所定間隔で複数の可動体１１（１つのみ図示）が図１及び図４に矢印Ｚで示す上下方向に駆動可能に設けられている。
【００２９】
上記可動体１１の下端には保持手段としてのＬ字状の吸着ヘッド１２が設けられ、この吸着ヘッド１２の下端の吸着面１２ａには電子部品としてのＴＣＰ１３の幅方向と直交する奥行き方向の一端部の上面が吸着保持されている。
【００３０】
上記可動体１１が上記インデックステーブルによって貼着ポジションＢに位置決めされると、上記吸着ヘッド１２の吸着面１２ａに上面が吸着保持された上記ＴＣＰ１３の上記一端部の下面が上記一対のガイドローラ４，５によってガイドされた離型テープ２の上面の所定長さに切断された粘着テープ１の分断部分１ａに対向する。
【００３１】
上記ＴＣＰ１３は、図２と図３に示すように樹脂製のテープ部材を所定形状、たとえば矩形状に打ち抜いた基材１４を有する。この基材１４の一方の面（下面）には複数のリード１５ａがプリントされている。リード１５ａの一端は基材１４の一側端縁に延出されて端子部１５を形成し、他端は上記基材１４の他側部に実装された半導体チップ１６に接続されている。
【００３２】
上記基材１４の半導体チップ１６が設けられた一方の面は、この面の周辺部を除く部分が樹脂などのソルダー・レジストとなる絶縁膜１７によって被覆されている。それによって、上記リード１５ａの一端部の端子部１５は露出し、それ以外の部分は絶縁膜１７によって被覆されている。
【００３３】
上記基材１４の一方の面に絶縁膜１７を塗布すると、その周縁部には樹脂の流れによって外方に向かって低く傾斜した第１の傾斜面１７ａが形成される。なお、上記半導体チップ１６の上面は絶縁膜１７から露出している。
【００３４】
上記ＴＣＰ１３を保持した上記吸着ヘッド１２の下方、つまり貼着ポジションＢには、図４と図５に示すように離型テープ２を挟んで加圧手段を構成する加圧ツール２１が配置されている。この加圧ツール２１の下面は、軸線を垂直にして配置された駆動シリンダ２２の駆動軸２３に取付けられている。
【００３５】
上記加圧ツール２１は、上面の加圧面２１ａの上記粘着テープ１が貼着された上記離型テープ２の幅方向に沿う幅寸法が２倍以上に設定されている。すなわち、図４に示すように粘着テープ１の幅寸法をＷ１とすると、上記加圧面２１ａの幅寸法Ｗ２が２倍以上、たとえば２．２〜３倍程度に設定されている。なお、通常使用される上記離型テープ２の幅寸法は数ｍｍ、たとえば２〜３ｍｍである。
【００３６】
そして、加圧ツール２１は上記加圧面２１ａの幅方向の一端部が上記貼着ポジションＢに位置決めされた上記吸着ヘッド１２の吸着面１２ａに対向するよう配置されている。
【００３７】
上記加圧ツール２１の加圧面２１ａの幅方向中央部にはこの上面に開口した断面形状がアリ溝状の取付け部２５が幅方向と直交する方向の全長にわたって形成されている。さらに、上記加圧ツール２１にはヒータ２６（図１に示す）が内蔵されている。このヒータ２６は粘着テープ１を加熱し、ＴＣＰ１３に上記加圧ツール２１によって加圧貼着するときに粘着し易くしている。
【００３８】
上記加圧面２１ａにはフッ素樹脂などの弾力性及び耐熱性を有する材料によって上記加圧面２１ａと同じ幅寸法Ｗ２で、厚さが１ｍｍ、硬度が７０〜８０のクッションパッド２８が取付けられる。このクッションパッド２８の下面の幅方向中央部には、上記加圧面２１ａに形成された取付け部２５に圧入される断面形状がアリ状の凸部２７が幅方向と直交する方向の全長にわたって形成されている。
【００３９】
さらに、上記クッションパッド２８の上面の幅方向の両端部には上記絶縁膜１７の第１の傾斜面１７ａと対応する角度或いは第１の傾斜面１７ａよりも大きな傾斜角度で傾斜した逃げ部としての第２の傾斜面２９が形成されている。
【００４０】
上記クッションパッド２８は、上記凸部２７を上記加圧面２１ａの取付け部２５に圧入して取付けられる。上記凸部２７を上記取付け部２５に圧入すると、上記凸部２７が上記取付け部２５ａによって弾性的に圧縮された分だけ、上記クッションパッド２８の幅方向中央部の上面が隆起することになる。
【００４１】
上記クッションパッド２８の幅方向中央部の上面が隆起すると、後述するように上記粘着テープ１を上記ＴＣＰ１３の端子部１５に上記クッションパッド２８を介して上記加圧ツール２１によって加圧貼着する際、上記粘着テープ１を上記クッションパッド２８によって均一に加圧できなくなる虞がある。
【００４２】
そこで、上記クッションパッド２８の幅方向中央部の上面には、上記凸部２７を上記取付け部２５に圧入したとき、上記凸部２７が弾性的に圧縮された分を吸収して上記クッションパッド２８の上記凸部２７に対応する部分の上面が隆起するのを防止する吸収部としての複数の吸収溝３１が幅方向と交差する方向に沿って形成されている。
【００４３】
上記吸収溝３１は、上記クッションパッド２８の厚さ方向の、上記凸部２７と反対側に幅０．２ｍｍの複数の吸収溝３１が０．５〜１ｍｍのピッチで、深さが上記クッションパッド２８の厚さの半分程度、この実施の形態では０．５ｍｍ程度で設けられることが好ましい。
【００４４】
それによって、上記凸部２７を上記取付け部２５ａに圧入しても、上記クッションパッド２８の幅方向の中央部の上面が凸状に隆起して上記クッションパッド２８の上面の平坦性が損なわれることがないようになっている。
【００４５】
上記粘着テープ１の幅寸法の２倍以上の幅寸法を有する上記クッションパッド２８の幅方向の一端部は後述するように第１の加圧部２８ａとして使用され、幅方向の他端部は第２の加圧部２８ｂとして使用されるようになっている。
【００４６】
上記粘着テープ１の分断部分１ａが上記ＴＣＰ１３の上面の上記吸着面１２ａによって吸着された一端部の下面に貼着されると、上記粘着テープ１に貼着された離型テープ２は図１に示す剥離ローラ３２によって剥離される。この剥離ローラ３２は図示しない駆動機構によって矢印Ｚで示す上下方向及び矢印Ｘで示す水平方向に駆動されるようになっている。
【００４７】
そして、上記加圧ツール２１が上昇して上記粘着テープ１の分断部分１ａを上記ＴＣＰ１３の一端部の下面に貼着してから下降すると、上記剥離ローラ３２が下降して上記分断部分１ａの長手方向の一端から上記離型テープ２を剥離した後、水平方向に駆動される。それによって、上記粘着テープ１の分断部分１ａの全長から上記離型テープ２が剥離されるようになっている。
【００４８】
次に、上記構成の貼着装置によってＴＣＰ１３の下面の幅方向と直交する奥行き方向の一端部に粘着テープ１の分断部分１ａを貼着するときの動作について説明する。
【００４９】
離型テープ２が巻き取りリール６によって送られ、この離型テープ２の上面に貼着された粘着テープ１の分断部分１ａが図４に示すように貼着ポジションＢに位置決めされた吸着ヘッド１２の吸着面１２ａに吸着保持されたＴＣＰ１３の一端部に対向すると、図５に示すように加圧ツール２１が駆動シリンダ２２によって上昇方向に駆動される。
【００５０】
それによって、上記加圧ツール２１の加圧面２１ａに取付けられたクッションパッド２８の幅方向一端部の第１の加圧部２８ａによって離型テープ２の上面に貼着された粘着テープ１の分断部分１ａが上記ＴＣＰ１３の一端部の下面の端子部１５に加圧貼着される。
【００５１】
上記クッションパッド２８は、下面の幅方向中央部に設けられた凸部２７を、上記加圧ツール２１の加圧面２１ａの幅方向中央部に形成された取付け部２５に圧入して取付けられている。
【００５２】
上記クッションパッド２８の上面の幅方向中央部には、上記凸部２７を取付け部２５に圧入したときに生じる圧縮変形によって上記クッションパッド２８の上面が隆起するのを防止する吸収溝３１が形成されている。
【００５３】
したがって、上記クッションパッド２８の上面は平坦面が維持されているから、上記粘着テープ１の分断部分１ａを上記ＴＣＰ１３の一端部の下面に端子部１５に対して均一に加圧貼着することができる。
【００５４】
しかも、上記クッションパッド２８の幅方向の両端部にはＴＣＰ１３の下面に設けられた絶縁膜１７の周辺部の第１の傾斜面１７ａに対応する角度で第２の傾斜面２９が形成されている。
【００５５】
そのため、上記クッションパッド２８が上記粘着テープ１の分断部分１ａを上記ＴＣＰ１３の一端部の下面に端子部１５に加圧貼着する際、上記クッションパッド２８の第１の加圧部２８ａの端部が上記第１の傾斜面１７ａに干渉して変形させられることがないから、そのことによっても上記粘着テープ１の分断部分１ａを上記ＴＣＰ１３の一端部の下面の端子部１５に対して均一に加圧貼着することができる。
【００５６】
上記クッションパッド２８の幅寸法Ｗ２を離型テープ１の幅寸法Ｗ１に対して２倍以上としている。そのため、上記クッションパッド２８の第１の加圧部２８ａが上記粘着テープ１を上記ＴＣＰ１３の下面の端子部１５に加圧貼着する際、上記吸収溝３１の部分が上記粘着テープ１を加圧しないよう、粘着テープ１の端部から外すことができる。
【００５７】
それによって、上記吸収溝３１が上記クッションパッド２８の上面に形成されていても、上記吸収溝３１によって粘着テープ１が均一に加圧されなくなるということがない。
【００５８】
上記吸収溝３１の幅寸法を十分に狭くし、上記クッションパッド２８の上面が吸収溝３１によって凸面になるのを防止すれば、粘着テープ１を加圧する際、上記吸収溝３１の部分で粘着テープ１を加圧しても、粘着テープ１の分断部分１ａを均一に加圧してＴＣＰ１３の端子部１５に貼着することができる。
【００５９】
そのような場合、上記クッションパッド２８の幅方向の中央部分も有効に使用できるから、上記クッションパッド２８の幅寸法Ｗ２を粘着テープ１の幅寸法Ｗ１の丁度２倍にすればよい。
【００６０】
上記クッションパッド２８の幅方向の一端部の第１の加圧部２８ａによる粘着テープ１の貼着を所定回数繰り返し、上記クッションパッド２８の第１の加圧部２８ａの部分が磨耗したり汚れが固着した場合など、上記クッションパッド２８を加圧ツール２１の加圧面２１ａから取り外し、水平方向に１８０度回転させ、その第２の加圧部２８ｂを貼着ポジションＢに位置決めされる吸着ヘッド１２の吸着面１２ａに対向させる。
【００６１】
それによって、上記クッションパッド２８の未使用の部分である、上記第２の加圧部２８ｂによって、上記第１の加圧部２８ａと同様、粘着テープ１の分断部分１ａをＴＣＰ１３の端子部１５に加圧貼着することができる。
【００６２】
つまり、１つのクッションパッド２８の幅寸法を粘着テープ１の幅寸法の２倍以上とすることで、上記クッションパッド２８の幅方向の一端部と他端部を順次使用することができるから、上記クッションパッド２８を長期にわたって経済的に使用することが可能となる。
【００６３】
上記第１の実施の形態のように、上記クッションパッド２８の幅寸法Ｗ２を粘着テープ１の幅寸法Ｗ１の２倍以上である、たとえば２．３倍に設定した場合、上記クッションパッド２８の幅方向の中央部に吸収溝３１を形成せず使用することができる。
【００６４】
すなわち、上記クッションパッド２８の幅方向の中央部に吸収溝３１を形成せずに、その凸部２７を加圧ツール２１の取付け面２１ａに形成された取付け部２５に圧入すると、その凸部が弾性変形して上記クッションパッド２８の上面の幅方向の中央部分が凸状に隆起するが、上記クッションパッド２８の幅寸法Ｗ２が粘着テープ１の幅寸法Ｗ１の２．３倍あるため、上記クッションパッド２８の幅方向の中央部分を使用せずに、粘着テープ１をＴＣＰ１３の端子部１５に均一に加圧貼着することができる。
【００６５】
つまり、上記クッションパッド２８に吸収溝３１を形成しなくとも、粘着テープ１をＴＣＰ１３の端子部１５に均一に加圧貼着することができる。
【００６６】
また、クッションパッド２８は下面に形成された凸部２７を加圧ツール２１の加圧面２１ａに形成された取付け部２５に圧入して取付けられている。そのため、クッションパッド２８は加圧ツール２１の加圧面２１ａから簡単に外れたり、加圧面２１ａ上でずれ動くようなことがないから、安定した状態で使用することができる。つまり、粘着テープ１の加圧貼着を精度よく行なうことができる。
【００６７】
図６はこの発明の第２の実施の形態を示す。この第２の実施の形態では加圧ツール２１の加圧面２１ａの幅寸法Ｗ２、つまりクッションパッド２８の幅寸法Ｗ３を粘着テープ１の幅寸法Ｗ１と同じ幅寸法に設定する。
【００６８】
上記加圧面２１ａに対する上記クッションパッド２８の取付け構造は、第１の実施の形態と同様、加圧面２１ａに取付け部２５を形成し、クッションパッド２８の下面に上記取付け部２５圧入される凸部２７を形成する。
【００６９】
上記クッションパッド２８の上面の幅方向中央部には幅方向と交差する方向に沿って吸収部としての複数の細い吸収溝３１を形成する。それによって、上記クッションパッド２８を上記加圧面２１ａに取付けることで、上記凸部２７が圧縮変形しても、上記クッションパッド２８の上面が隆起して変形するのが防止される。
【００７０】
なお、上記吸収溝３１は上記クッションパッド２８の厚さ方向の上記凸部２７と反対側に幅０．２ｍｍ、ピッチが０．５〜１．０ｍｍ、深さはクッションパッド２８の厚さの約半分程度で、この場合には約０．５ｍｍ程度で設けることが好ましい。
【００７１】
上記吸収溝３１は上記クッションパッド２８の上面の幅方向中央部に形成されているから、粘着テープ１を加圧貼着する際に上記クッションパッド２８は上記吸収溝３１が形成された部分で粘着テープ１を加圧貼着することになるが、上記吸収溝３１の幅寸法を十分に小さくし、クッションパッド２８の上面で粘着テープ１を均一に加圧できるようにすれば、上記クッションパッド２８の上面に上記吸収溝３１が開口形成されていても差し支えない。
【００７２】
また、クッションパッド２８の、上記ＴＣＰ１３に設けられた絶縁膜１７の第１の傾斜面１７ａと対向する幅方向の一端部には第２の傾斜面２９が形成され、粘着テープ１をＴＣＰ１３の端子部１５に貼着するとき、クッションパッド２８の一端部が上記絶縁膜１７に干渉するのを防止している。
【００７３】
つまり、クッションパッド２８の幅寸法Ｗ３と粘着テープ１の幅寸法Ｗ１が同じであっても、上記クッションパッド２８によって上記粘着テープ１をＴＣＰ１３の端子部１５に対して均一に加圧貼着することができる。
【００７４】
図７はこの発明の第３の実施の形態を示す。この実施の形態のクッションパッド２８Ａは、上面部３５及びこの上面部３５の幅方向の両端部に加圧ツール２１の側面に対向する一対の側辺部３６を有する。
【００７５】
なお、加圧ツール２１及びクッションパッド２８Ａの幅寸法Ｗ２は粘着テープ１の幅寸法Ｗ１の２倍以上に設定されている。それによって、上記クッションパッド２８Ａの幅方向一端部は第１の加圧部２８ａ、他端部は第２の加圧部２８ｂとして使用できるようになっている。
【００７６】
上記各側辺部３６の内面には断面形状がアリ状の凸部２７が形成され、上記加圧ツール２１の上記一対の側辺部３６に対向する側面には上記凸部２７が圧入される取付け部２５が形成されている。
【００７７】
上記上面部３５の幅方向両端部には逃げ部としての第２の傾斜面２９が形成され、幅方向中央部には吸収溝３１が形成されている。
【００７８】
なお、上記吸収溝３１は上記クッションパッド２８の厚さ方向の上記凸部２７と反対側の中央部に幅０．２ｍｍ、ピッチが０．５〜１．０ｍｍ、深さはクッションパッド２８の厚さの約半分程度で、この場合には約０．５ｍｍ程度で設けることが好ましい。
【００７９】
上記凸部２７を上記取付け部２５に圧入することで、上記凸部２７圧縮変形した分だけ、上記上面部３５の幅方向両端部が隆起するが、その隆起は吸収溝３１によって吸収されることになる。すなわち、加圧ツール２１にクッションパッド２８Ａを取付けても、その上面部２５の平坦度合が損なわれないようになっている。
【００８０】
上記構成のクッションパッド２８Ａが設けられた加圧ツール２１であっても、上記第１の実施の形態のクッションパッド２８と同様、粘着テープ１をＴＣＰ１３の端子部１５に対して均一に加圧貼着することができる。
【００８１】
しかも、加圧ツール２１及びクッションパッド２８Ａの幅寸法Ｗ２を粘着テープ１の幅寸法Ｗ１の２倍以上としたことで、上記クッションパッド２８Ａの幅方向一端部を第１の加圧部２８ａ、他端部を第２の加圧部２８ｂとして順次使用することができるから、経済的である。
【００８２】
なお、上記各実施の形態ではクッションパッドの上面に、クッションパッドの凸部を加圧ツールの取付け部に圧入したとき、上記凸部が圧縮されることでクッションパッドの上面が隆起するのを防止するため、クッションパッドの上面に吸収部としての吸収溝を形成したが、上記取付け部に対する上記凸部の圧入度合、つまり圧入時の凸部の弾性変形度合によっては上記クッションパッドの上面に吸収溝を形成しなくとも、粘着テープをＴＣＰ端子部に貼着するのに差し支えない程度の平坦度を確保することは可能である。
【００８３】
また、加圧ツールに形成する取付け部及びクッションパッドに形成する凸部の形状はアリ溝及びアリ状だけに限られず、他の形状であってもよく、要は取付け部に凸部を圧入できる形状であればよい。
【００８４】
また、第１、第２の実施の形態では、加圧ツールに形成される取付け部を加圧面の幅方向中央部に幅方向と直交する方向の全長にわたって形成し、第３の実施の形態では加圧ツールの側面に幅方向と交差する方向の全長にわたって取付け部を形成したが、幅方向と交差する方向の中央部分或いはその方向に部分的に取付け部を形成し、クッションパッドには上記取付け部と対応する位置に凸部を形成するようにしてもよい。
【００８５】
上記各実施の形態では加圧ツールを上昇させて粘着テープをＴＣＰの端子部に貼着する例を挙げて説明したが、粘着テープを離型テープの下面に設け、加圧ツールを上方向から下降させてＴＣＰの端子部に貼着する構成であっても差し支えない。
【００８６】
また、加圧ツールの取付部にクッションパッドの凸部を圧入したとき、クッションパッドの上面の中央部が凸状に変形することを例に挙げて説明したが、取付部と凸部との嵌め合い関係によってはクッションパッドの上面の中央部が凹状に変形することもある。したがって、そのような場合であっても、上記クッションパッドに吸収溝を設けることで、このクッションパッドの上面の変形を防止することが可能である。
【００８７】
また、上記実施の形態ではクッションパッドを加圧ツールから取り外してから１８０度回転させて上記クッションパッドの未使用の部分を使用するようにしたが、クッションパッドを加圧ツールから取り外さずに、加圧ツールを１８０度回転させるようにしてもよい。
【符号の説明】
【００８８】
１２…吸着ヘッド（保持手段）、１３…ＴＣＰ（電子部品）、１５…端子部、１７…絶縁膜、２１…加圧ツール、２５…取付け部、２７…凸部、２８，２８Ａ…クッションパッド、３１…吸収溝。
【図１】
2013118263.tif 000003
【図２】
2013118263.tif 000004
【図３】
2013118263.tif 000005
【図４】
2013118263.tif 000006
【図５】
2013118263.tif 000007
【図６】
2013118263.tif 000008
【図７】
2013118263.tif 000009